(57)【要約】      （修正有）【課題】旗部の仕舞い込みを迅速・確実に行なうことのできる旗具を提供する。【解決手段】キャップ状部材２０により、旗部支持体６の回転拘束・解除手段を形成する。旗具の使用時は、キャップ状部材２０を旗竿本体９の先端部に浅く嵌めて旗部支持体６の先端部から外すことで、旗部支持体６を回転自在とし、風が吹いたときの旗部３の巻き付き防止を図る。旗具の不使用時は、キャップ状部材２０を旗竿本体９に深く嵌め、旗部支持体６の先端部の外面と旗竿本体９の一部であるストッパ７の外面の両者にわたって密着するように嵌着することで、キャップ状部材２０と旗部支持体６との摩擦により旗部支持体６の回転を拘束し、旗部３を容易に巻けるようにする。【選択図】図４
0003183779.tif 000002
【実用新案登録請求の範囲】
【請求項１】
略棒状に延びた旗竿本体と、該旗竿本体に挿嵌されて回転自在に軸支された筒状の旗部支持体とにより旗竿を構成し、柔軟な素材で形成された方形の旗部の一辺縁を前記旗部支持体に取り付けた旗具において、
前記旗竿本体に対する前記旗部支持体の回転の拘束・解除をする回転拘束・解除手段を旗竿本体に付設したこと、
を特徴とする旗具。
【請求項２】
前記旗竿本体の先端部が前記旗部支持体の先端部より軸方向外側へ突出するようにし、
少なくとも前記旗部支持体の先端部の外面から該旗部支持体の先端近傍の前記旗竿本体の外面にわたり、着脱自在またはスライド自在に密着状態で嵌着された円筒状部材またはキャップ状部材により、前記回転拘束・解除手段を形成したこと、
を特徴とする請求項１記載の旗具。
【請求項３】
前記旗竿本体の少なくとも先端部を中空とし、
前記旗竿本体の先端部の中空内面と前記旗部支持体の先端部の外面とを着脱自在またはスライド自在に挟持する略Ｕ字状に曲げられた挟持部材により、前記回転拘束・解除手段を形成したこと、
を特徴とする請求項１記載の旗具。
【請求項４】
前記旗部の内、前記旗部支持体に取り付けられた一辺縁とは反対の一辺縁に、前記旗竿に巻き付けた前記旗部を留める留め紐を設けたこと、
を特徴とする請求項１または２または３記載の旗具。
【請求項５】
前記旗部の内、前記旗部支持体に取り付けられた一辺縁とは反対の一辺縁に錘部を設けたこと、
を特徴とする請求項１または２または３または４記載の旗具。
【請求項６】
前記旗部の全部または一部の領域の素材を網目状としたこと、
を特徴とする請求項１または２または３または４または５記載の旗具。
【考案の詳細な説明】
【技術分野】
【０００１】
本考案は旗具に係り、とくに旗竿に一辺縁が取り付けられた旗部が旗竿を軸として回転可能に形成された旗具に関する。
【背景技術】
【０００２】
屋外で応援などに用いられる手持ち式の旗具は、下端部に握り部を有する旗竿に柔軟な素材で形成された方形の旗部の一辺縁が取り付けられてなり、握り部を持って左右に振ることで旗部を左右に動かしながらたなびかせるようになっている。
ところで、屋外では風が吹くと旗部が旗竿に巻き付いてしまうので、従来から、旗竿に対し旗部を回転自在に取り付け、風が吹いたとき旗部が旗竿に対し回転しながら逃げるようにして巻き付きを防止するようにした旗具が実用化されている（特許文献１参照）。この旗具は下部に握り部を有し、棒状に延びた旗竿本体の外側に円筒状の旗部支持体を回転自在に挿嵌した旗竿を備えており、方形の旗部の一辺縁を旗部支持体に固定することで、旗部が旗竿に対し自由回転できるように形成したものである。
【０００３】
しかしながら、上記した従来の巻き付き防止機能付の旗具では、使用後に旗部を旗竿に巻いて仕舞おうとするとき、旗竿に対し旗部が回転しないように押さえながら巻かなければならず、迅速に巻くことができなかった。また、巻き終ったあとも旗部から手を離すと、旗部の自重により旗竿に対し旗部が回転しながら容易に開いて元に戻ってしまう欠点があった。
【先行技術文献】
【特許文献】
【０００４】
【特許文献１】実用新案登録第３０８７４４６号公報
【考案の概要】
【考案が解決しようとする課題】
【０００５】
本考案は上記した従来技術の問題に鑑みなされたもので、旗部の仕舞い込みを迅速・確実に行なうことのできる旗具を提供することを、その目的とする。
【課題を解決するための手段】
【０００６】
請求項１記載の考案では、略棒状に延びた旗竿本体と、該旗竿本体に挿嵌されて回転自在に軸支された筒状の旗部支持体とにより旗竿を構成し、柔軟な素材で形成された方形の旗部の一辺縁を前記旗部支持体に取り付けた旗具において、
前記旗竿本体に対する前記旗部支持体の回転の拘束・解除をする回転拘束・解除手段を旗竿本体に付設したこと、を特徴としている。
請求項２記載の考案では、前記旗竿本体の先端部が前記旗部支持体の先端部より軸方向外側へ突出するようにし、少なくとも前記旗部支持体の先端部の外面から該旗部支持体の先端近傍の前記旗竿本体の外面にわたり、着脱自在またはスライド自在に密着状態で嵌着された円筒状部材またはキャップ状部材により、前記回転拘束・解除手段を形成したこと、を特徴としている。
請求項３記載の考案では、前記旗竿本体の少なくとも先端部を中空とし、前記旗竿本体の先端部の中空内面と前記旗部支持体の先端部の外面とを着脱自在またはスライド自在に挟持する略Ｕ字状に曲げられた挟持部材により、前記回転拘束・解除手段を形成したこと、を特徴としている。
請求項４記載の考案では、前記旗部の内、前記旗部支持体に取り付けられた一辺縁とは反対の一辺縁に、前記旗竿に巻き付けた前記旗部を留める留め紐を設けたこと、を特徴としている。
請求項５記載の考案では、前記旗部の内、前記旗部支持体に取り付けられた一辺縁とは反対の一辺縁に錘部を設けたこと、を特徴としている。
請求項６記載の考案では、前記旗部の全部または一部の領域の素材を網目状としたこと、を特徴としている。
【考案の効果】
【０００７】
本考案によれば、旗具を使用する際は、回転拘束・解除手段を解除状態とし、旗部を回転自在とするこで風が吹いたときの巻きつき防止を図ることができ、一方、旗具の使用後は、回転拘束・解除手段を拘束状態とし、旗部支持体の回転を拘束することにより、旗部を旗竿に迅速かつ確実に巻き付けて仕舞うことができる。
旗竿本体の先端部が旗部支持体の先端部より軸方向外側へ突出している場合、少なくとも旗部支持体の先端部の外面から該旗部支持体の先端近傍の旗竿本体の外面にわたり、着脱自在またはスライド自在に密着状態で嵌着された円筒状部材またはキャップ状部材によって回転拘束・解除手段を形成すれば、不使用時に、円筒状部材またはキャップ状部材を旗部支持体の先端部と旗竿本体の両者にわたり嵌着して、円筒状部材またはキャップ状部材と旗部支持体との摩擦により旗部支持体の回転を拘束することができる。使用時は、円筒状部材またはキャップ状部材を旗部支持体の先端部から外すことで、旗部支持体を回転自在とできる。
旗竿本体の先端部が中空の場合、旗竿本体の先端部の中空内面と旗部支持体の先端部の外面とを着脱自在またはスライド自在に挟持する略Ｕ字状に曲げられた挟持部材によって回転拘束・解除手段を形成すれば、不使用時に、挟持部材により旗竿本体の先端部の中空内面と旗部支持体の先端部の外面とを挟持して、旗竿本体と旗部支持体との摩擦により旗部支持体の回転を拘束することができる。使用時は、挟持部材を旗竿本体から取り外すか、スライドさせて旗部支持体の外側で旗竿本体の外面と中空内面を挟持させることで旗部支持体を回転自在とできる。
また、旗部の内、前記旗部支持体に取り付けられた一辺縁とは反対の一辺縁に、旗竿に巻き付けた旗部を巻き付け状態で留める留め紐を設け、不使用時に、旗竿に巻き付け状態とした旗部を留め紐で留めることにより、巻き付け状態にした旗部を手で持たなくても開かないようにできる。
また、旗部の内、前記旗部支持体に取り付けられた一辺縁とは反対の一辺縁に錘部を設けることにより、使用時に、風に吹かれて旗部が鉛直下向きから傾斜しようとしても、錘部の自重で元の鉛直下向き方向へ戻すモーメントが働くので、巻きつき防止効果が向上する。錘部を設ける場合などに、旗部の全部または一部の領域の素材を網目状とすることにより、手で旗を振る際に旗部の周囲に乱流が生じ難くなって円滑に振ることができる。
【図面の簡単な説明】
【０００８】
【図１】本考案の第１実施例に係る旗具の一部省略した外観視図である（実施例１）。
【図２】図１の旗具の組み立て方法の説明図である。
【図３】図１の旗具の組み立て方法の説明図である。
【図４】図１の旗具の使用方法の説明図である。
【図５】図１の旗具の変形例を示す一部省略した外観斜視図である。
【図６】本考案の第２実施例に係る旗具の旗竿先端部近くの部分断面図である。
【図７】図６の旗具の使用方法の説明図である。
【考案を実施するための最良の形態】
【０００９】
以下、本考案の最良の形態を実施例に基づき説明する。
【実施例１】
【００１０】
図１を参照して本考案の第１実施例を説明する。図１は本考案に係る手持ち式の旗具の外観斜視図である。
図１において、旗具１は、棒状の旗竿２と柔軟性を有し、合成繊維製、天然繊維製などのシート状の生地素材で形成された方形の旗部３を備えている。旗竿２は上下に延びた中空丸棒状の芯棒４と、芯棒４の下端部の外周に嵌着された円筒ゴム製の握り部５と、芯棒４の内、握り部５の近くから先端近くまでに挿嵌されて芯棒４に回転自在に軸支された円筒状の旗部支持体６と、芯棒４の内、旗部支持体６の両側に嵌着されて旗部支持体６の軸方向の移動を阻止するリング状のストッパ７、８とから成る。先端側のストッパ７の先端面は芯棒４の先端面と面一となっている。ストッパ７、８の外径は旗部支持体６と同じ外径に形成されている。芯棒４、握り部５、ストッパ７、８により上下に棒状に延びた旗竿本体９が構成されており、旗竿本体９の先端部は旗部支持体６の先端より軸方向外側にストッパ７の長さ分だけ突出している。
【００１１】
旗部３は図１の左右辺の長さが旗部支持体６の軸長より少し短くなっている。旗部３の左辺端縁が旗部支持体６の外径とほぼ同径の円筒状の袋部１０となっており、この袋部１０が旗部支持体６に挿嵌されるとともに、袋部１０の上下両端近くで袋部１０の外側からリングクリップ１１、１２が旗部支持体６に嵌着されることにより、旗部３の左辺端縁が旗部支持体６に取着されている。これにより、旗部３は旗竿本体９に対して回転自在に取り付けられている。
なお、旗部３の右辺端縁には長方形状の錘部１３が設けられている。即ち、旗部３の右辺端縁に長方形状の袋部１４が形成されており、内部に錘となる長方形状のプラスチック板１５が収納されている。
【００１２】
旗竿本体９の先端部には、伸縮性を有するスポンジ材で形成された旗部回転拘束・解除手段としてのキャップ部材２０が着脱自在及び旗竿本体９の軸方向にスライド自在に密着して嵌着されている。このキャップ部材２０は旗竿本体９の先端を覆うドーム状の頭部２１と頭部２１から旗竿本体９の軸方向下方へ延びた円筒状の胴部２２から成る。キャップ部材２０は旗竿本体９の先端部に深く嵌めたとき、胴部２２が旗部支持体６の先端部の外面から、旗部支持体６の先端近傍の旗竿本体９であるストッパ７の外面にわたって密着可能となっており、この際、胴部２２の内面と旗部支持体６の外面の間に働く摩擦力により、旗竿本体９に対する旗部支持体６の回転が拘束されるようになっている。
これとは異なり、キャップ部材２０を旗竿本体９から取り外して胴部２２を旗部支持体６の先端部から外すか、或いは、キャップ部材２０を旗竿本体９に浅く嵌め、胴部２２が旗部支持体６の先端部から外れるようにし、旗竿本体９の一部であるストッパ７の外面にだけ密着させることにより、旗竿本体９に対する旗部支持体６の回転拘束を解除し、自由回転可能とできる。
【００１３】
旗部３の内、図１における右辺端縁の下隅には面ファスナー（図示せず）付きの留め紐３０が取着されており、旗部３を仕舞う際に、巻いた状態の旗部３に巻回して留められるようになっている。
【００１４】
図２と図３は旗具１の組み立て方法の説明図である。
芯棒４に旗部支持体６を挿嵌し、芯棒４の先端部を旗部支持体６の先端より軸方向外側に突出させ、芯棒４の先端部にリング状のストッパ７を嵌めて止めネジ１６により固定する（図２（１）、図２（２）参照）。この際、芯棒４の先端面とストッパ７の端面を面一とさせる。旗部支持体６の先端側をストッパ７に当接させた状態で、旗部支持体６の手元側の芯棒４にもリング状のストッパ８を嵌めて止めネジ１７により固定する（図２（１）、図２（２）参照）。この際、ストッパ８は旗部支持体６の手元側の端面との間に０．５乃至１．５ｍｍ程度の隙間を設けるようにする。これにより、旗部支持体６は芯棒４に対して軸方向移動が阻止された状態で回転自在となる。芯棒４の手元側に円筒ゴム製の握り部５を嵌着することにより、旗竿２が完成する（図２（２）、図３参照）。芯棒４、握り部５、ストッパ７、８により旗竿本体９が形成される。
【００１５】
次に、図１における左辺端縁と右辺端縁に各々、袋部１０と錘部１３が設けられた旗部３を用意し、袋部１０を旗竿２の先端側から通して旗部支持体６の外周に挿嵌する。そして、袋部１０の上下両端近くで袋部１０の外側からリングクリップ１１、１２を旗部支持体６に嵌着して旗部３の右辺端縁を旗竿本体９に取着する。最後に、旗竿２の先端部にキャップ部材２０を嵌着して旗具１を完成させる（図１の矢印Ａ参照）。
【００１６】
次に、図４を参照して上記した実施例の使用方法を説明する。
ユーザがスポーツ観戦などで旗具１を使用したい場合、キャップ部材２０を旗竿本体９から完全に外しておくか、或いは旗竿本体９の先端部に浅く嵌めて胴部２２が旗部支持体６の先端部から外れるようにして、旗竿本体９の一部であるストッパ７の外面にだけ密着させる（図４（１）参照）。このとき、旗竿本体９に対する旗部支持体６の回転拘束が解除されて回転自在となる。この状態で、握り部５を持って旗竿２を左・右に振ると、旗部３が右・左にたなびく。この際、錘部１３の慣性で旗部３は広がった状態でたなびく。
若し、旗竿２を振っていないときに風が吹いたとき、旗部３が旗竿２を軸にして回転しながら逃げるので巻き付きが防止される。旗部３の旗竿２とは反対側の端縁に設けられた錘部１３により、風に吹かれて旗部３が鉛直下向きから傾斜しようとしても、錘部１３の自重で元の鉛直下向き方向へ戻すモーメントが働くので、巻きつき防止を確実に行なうことができる。
【００１７】
ユーザが旗具１の使用を終わり、巻いて仕舞いたい場合、予めキャップ部材２０が旗竿本体９が完全に取り外してあるときは、キャップ部材２０を旗竿本体９の先端部に取り付け、予めキャップ部材２０が旗竿本体９取り付け済であるときはスライドして、キャップ部材２０を旗竿本体９の先端部に深く嵌め、胴部２２が旗部支持体６の先端部の外面から、旗部支持体６の先端近傍の旗竿本体９であるストッパ７の外面にわたって密着させる（図４（２）の矢印Ｂ参照）。このとき、胴部２２の内面と旗部支持体６の外面の間に摩擦力が働いて、旗竿本体９に対する旗部支持体６の回転が拘束されるので、旗部３が回らず、旗部３を旗竿２に迅速かつ確実に巻き付けることができる。巻き付け後、留め紐３０を巻いた状態の旗部３に巻回して面ファスナー（図示せず）により留める。
【００１８】
この実施例によれば、旗具１の使用時は、キャップ状部材２０を旗竿本体９から完全に外しておくか、或いは旗竿本体９の先端部に浅く嵌めて旗部支持体６の先端部から外すことで、旗部支持体６を回転自在とでき、風が吹いたとき、旗部３が旗竿本体９を軸にして回転しながら逃げるので巻き付きが防止される。風に吹かれて旗部３が鉛直下向きから傾斜しようとしても、錘部１３の自重で元の鉛直下向き方向へ戻すモーメントが働くので、巻きつき防止効果が向上する。
旗具１の不使用時は、キャップ状部材２０を旗竿本体９に深く嵌め、旗部支持体６の先端部の外面と旗竿本体９の一部であるストッパ７の外面の両者にわたって密着するように嵌着することで、キャップ状部材２０と旗部支持体６との摩擦により旗部支持体６の回転を拘束することができ、旗部３を旗竿２に迅速かつ確実に巻き付けることができる。巻き付け後、留め紐３０を巻いた状態の旗部３に巻回して面ファスナーにより留めれば、旗部３を手で持たなくても開かないようにできる。
また、旗部支持体６の回転拘束と拘束解除を１つのキャップ状部材２０の着脱またはスライドで行なうことができ、構成上の負担が少なく、手間も掛からない。また、キャップ状部材２０を旗竿１の先端部に嵌着することで旗竿１の先端部の破損防止を図ることもできる。
【００１９】
なお、上記した実施例では、旗部回転拘束・解除手段としてキャップ状部材を例に挙げて説明したが、キャップ状部材の頭部を省略し胴部だけとした円筒状部材に置き換えても良い。また、旗部の一辺縁に錘部を設けるようにしたが、省略しても良い。
また、旗部を柔軟性を有するシート素材により形成したが、図５に示す如く、旗部３Ａの全部または一部の領域を柔軟性を有する合成繊維製、天然繊維製などの網目状素材により形成しても良い。旗部３Ａに錘部１３を設ける場合、手で旗具１Ａを振る際に錘部１３が下に垂れて旗部３Ａの周囲に乱流が生じ空気抵抗が増すが、旗部３Ａの全部または一部の領域の素材を網目状とすることにより、手で旗具１Ａを振る際に旗部３Ａの周囲に乱流が生じ難くなり、空気抵抗が減って円滑に振ることができる。
【実施例２】
【００２０】
次に、図６を参照して本考案の第２実施例を説明する。図６は本考案に係る手持ち式の旗具の先端部付近の一部省略した断面図であり、図１と同一の構成部分には同一の符号を付してある。
図１に示す第１実施例では、キャップ状部材により旗部支持体の回転拘束を行なうようにしたが、第２実施例では旗竿本体の先端部の中空内面と外面を挟む略Ｕ字状の挟持部材により、旗部支持体の回転拘束を行なう。
図６において、旗具１Ｂの旗竿本体９の先端部には中空内面と外面を着脱自在及び旗竿本体９の軸方向にスライド自在に挟持するバネ性を有する略Ｕ字状の回転拘束・解除手段としての挟持部材（クリップ）４０が備えられている。
旗具１Ｂのその他の構成部分は図１と全く同様に構成されている。
【００２１】
次に、第２実施例の使用方法を説明する。
ユーザがスポーツ観戦などで旗具１Ｂを使用したい場合、挟持部材４０を旗竿本体９から完全に取り外しておくか、挟持部材４０により、旗部支持体６より軸方向外側の旗竿本体９の外面（ストッパ７の外面）と旗竿本体９の先端部の中空内面（芯棒４の中空内面）を挟持させることで旗部支持体６を回転自在とする（図６参照）。この状態で、握り部５を持って旗竿２を左・右に振ると、旗部３が右・左にたなびく。旗竿２を振っていないときに風が吹いたとき、旗部３が旗竿２を軸にして回転しながら逃げるので巻き付きが防止される。
ユーザが旗具１Ｂの使用を終わり、巻いて仕舞いたい場合、予め挟持部材４０を旗竿本体９から完全に取り外していたときは旗竿本体９の先端部に取り付け、予め、取り付け済であるときは挟持部材４０をスライドして、挟持部材４０により旗竿本体９の先端部の中空内面と旗部支持体６の先端部の外面とを挟持させる（図７の矢印Ｃ参照）。これにより、旗部支持体６が旗竿本体９の一部である芯棒４に押圧されて、旗竿本体９と旗部支持体６との間に働く摩擦力により旗部支持体６の回転を拘束することができるので、旗部３を旗竿２に迅速かつ確実に巻き付けることができる。
【００２２】
この第２実施例によれば、旗竿本体９の先端部への挟持部材４０の着脱または旗竿本体９の先端部での旗竿本体９の軸方向への挟持部材４０のスライドによって、旗部支持体６の回転拘束と拘束解除を自在に行なうことができ、簡単で手間の掛からない構成で、使用時には風による旗部３の巻き付き防止を図り、不使用時には、迅速かつ簡単に旗部３を仕舞うことができる。
なお、第２実施例においても、旗部の一辺縁に設けた錘部を省略しも良く、また、旗部の全部または一部の領域を柔軟性を有する網目状素材により形成するようにしても良い。
【産業上の利用可能性】
【００２３】
本考案は、手持ち式の旗具や支柱等に固定式の旗具に適用できる。
【符号の説明】
【００２４】
１、１Ａ、１Ｂ  旗具
２  旗竿
３、３Ａ  旗部
４  芯棒
５  握り部
６  旗部支持体
７、８  ストッパ
９  旗竿本体
１０  袋部
１１、１２  リングクリップ
１３  錘部
２０  キャップ部材
２１  頭部
２２  胴部
３０  留め紐
４０  クリップ
【図１】
0003183779.tif 000003
【図２】
0003183779.tif 000004
【図３】
0003183779.tif 000005
【図４】
0003183779.tif 000006
【図５】
0003183779.tif 000007
【図６】
0003183779.tif 000008
【図７】
0003183779.tif 000009